(57)【要約】【課題】位置決めのための基準となる部位が容易に認識可能であり、組付け作業がより容易に行なえるアンテナ装置を提供する。【解決手段】アンテナ装置１Ａは、絶縁性の基板部３および基板部３上に設けられた渦巻状のアンテナ素子４を含むアンテナ基板２と、アンテナ基板２のアンテナ素子４が設けられた主表面上にアンテナ素子４を覆うように積層配置された磁性体シート７とを備える。アンテナ素子４は、外部の回路との電気的な接続を行なうための接点ランド４ａを含み、接点ランド４ａは、アンテナ基板２を平面視した場合におけるアンテナ基板２の角部２ａに配置される。磁性体シート４は、アンテナ基板２の接点ランド４ａが設けられた角部２ａを露出させる切り欠き部７ａを有する。【選択図】図１
2013168907.tif 000002
【特許請求の範囲】
【請求項１】
絶縁性の基板部および前記基板部上に設けられた環状または渦巻状のアンテナ素子を含むアンテナ基板と、
前記アンテナ基板の前記アンテナ素子が設けられた主表面上に前記アンテナ素子を覆うように積層配置された磁性体シートとを備え、
前記アンテナ素子は、外部の回路との電気的な接続を行なうための接点ランドを含み、
前記接点ランドは、前記アンテナ基板を平面視した場合における前記アンテナ基板の角部に配置され、
前記磁性体シートが、前記アンテナ基板の前記接点ランドが設けられた角部を露出させる切り欠き部を有している、アンテナ装置。
【請求項２】
前記接点ランドには、その表面を覆うように金メッキ層が設けられている、請求項１に記載のアンテナ装置。
【請求項３】
前記磁性体シートが、前記アンテナ基板の前記接点ランドが設けられた角部とは異なる角部を露出させる切り欠き部をさらに有している、請求項１または２に記載のアンテナ装置。
【請求項４】
請求項１または２に記載のアンテナ装置と、
前記アンテナ装置が組付けられたフレームとを備え、
前記フレームは、前記アンテナ装置の組付けの際の位置決め基準となる位置決め部を含み、
前記位置決め部は、前記接点ランドが設けられた前記アンテナ基板の角部に対応した形状の入隅部を有し、
前記アンテナ基板の前記接点ランドが設けられた角部が、前記入隅部に当接している、電子機器。
【請求項５】
請求項３に記載のアンテナ装置と、
前記アンテナ装置が組付けられたフレームとを備え、
前記フレームは、前記アンテナ装置の組付けの際の位置決め基準となる一対の位置決め部を含み、
前記一対の位置決め部の一方は、前記アンテナ基板の前記接点ランドが設けられた方の角部に対応した形状の入隅部を有し、
前記一対の位置決め部の他方は、前記アンテナ基板の前記接点ランドが設けられた角部とは異なる方の角部に対応した形状の入隅部を有し、
前記アンテナ基板の前記接点ランドが設けられた方の角部が、前記一対の位置決め部の一方に設けられた入隅部に当接し、
前記アンテナ基板の前記接点ランドが設けられた角部とは異なる方の角部が、前記一対の位置決め部の他方に設けられた入隅部に当接している、電子機器。
【発明の詳細な説明】
【技術分野】
【０００１】
本発明は、非接触での通信を可能にするＮＦＣ（Near Field Communication）システムにおいて使用されるアンテナ装置およびこれを備えた電子機器に関する。
【背景技術】
【０００２】
一般に、非接触での通信を可能にするＮＦＣシステムにおいては、アンテナ素子がその周囲に位置する金属物の影響を受けることにより、通信距離が短くなってしまうといった問題や通信自体が行なえなくなってしまうといった問題を有している。
【０００３】
たとえば、環状または渦巻状に構成されたアンテナ素子の軸方向（すなわち、磁界方向）に沿って近い距離に金属物が位置している場合には、逆起電力が生じることによってアンテナ素子の磁界が打ち消されてしまい、通信に必要な相互インダクタンスが不十分となって通信特性に劣化が生じてしまう。
【０００４】
従来、この種の問題を解決するために、ＮＦＣシステムに利用されるアンテナ装置においては、磁性体シートをアンテナ素子の近傍に配置することにより、周囲に位置する金属物の影響をアンテナ素子が受け難くなるようにし、これによって通信特性の劣化を防止することが行なわれている。
【０００５】
たとえば、携帯電話等に代表される小型端末からなる電子機器においては、アンテナ装置と他の構成部品に含まれる金属物との間の距離を通信に影響がでない程度に遠ざけて配置することが困難な場合が多く、そのため上述した磁性体シートをアンテナ装置に組み込むことが必須となっている。
【０００６】
なお、当該磁性体シートが組み込まれてなるアンテナ装置が開示された文献としては、たとえば特開２００６−４１９８６号公報（特許文献１）や特開２００７−３２５０５４号公報（特許文献２）、特開２０１０−１６１４７７号公報（特許文献３）等がある。
【先行技術文献】
【特許文献】
【０００７】
【特許文献１】特開２００６−４１９８６号公報
【特許文献２】特開２００７−３２５０５４号公報
【特許文献３】特開２０１０−１６１４７７号公報
【発明の概要】
【発明が解決しようとする課題】
【０００８】
ＮＦＣシステムを構築するに当たっては、アンテナ装置を電子機器の筐体あるいはシャーシ等のフレームに対して高精度に位置決めして組付けることが重要になる。これは、第一に、電子機器に設けられたプラットフォームマーク（対向配置されるアンテナ装置の位置決めのためのマーク）に対してアンテナ素子が高精度に位置決めされて配置されることが必要であるためであり、第二に、アンテナ素子と通信回路との電気的な接続を確実に行なうことが必要であるためである。
【０００９】
すなわち、フレームに対してアンテナ装置が高精度に位置決めして組付けられていない場合には、プラットフォームマークに対するアンテナ素子の組付け位置にずれが生じてしまい、そのため通信が不安定になってしまうといった問題が生じたり、通信回路側の接点ばねやポビゴンといった接続プローブに対するアンテナ素子の接点ランドの組付け位置にずれが生じてしまい、そのためこれら端子間の接触不良が発生してしまうといった問題が生じたりする。
【００１０】
フレームに対してアンテナ装置を高精度に位置決めして組付けるためには、フレームおよびアンテナ装置にそれぞれ位置決めのための基準となる部位を設け、これら部位の位置合わせを行なうことで位置決め精度を確保することが考えられる。当該位置合わせは、画像認識装置等を利用してこれを自動化するか、あるいは手作業によってこれを行なうかのいずれかで実現することが想定されるが、いずれの場合においても作業効率を向上させるためには、位置決めのための基準となる部位が他の部位と区別して認識可能となるように構成されていることが必要となる。
【００１１】
しかしながら、通常は、アンテナ装置に組み込まれる磁性体シートの色調と、筐体等のフレームの色調とが、比較的近いケースが多い。そのため、上述した基準となる部位の認識が困難となってしまうことが避けられず、位置決めのためにのみ、上述した基準となる部位の色調が他の部位の色調と異なるように当該基準となる部位に着色処理を施すといった改良が必要となる。しかしながら、当該改良を行なうことは、製造コストの増大を招いてしまうことになり、好ましい解決策とは必ずしも言えない。
【００１２】
その一方で、上述の如くの改良を行なわなかった場合には、タクトタイムが悪化してしまうばかりでなく、組付けのし直し等が頻繁に発生してしまうこととなり、結果としてアンテナ装置の劣化につながったり、あるいはアンテナ装置が破損して歩留まりが悪化してしまったりし、やはり製造コストの増大を招いてしまう結果となる。
【００１３】
したがって、本発明は、上述した問題点を解決すべくなされたものであり、位置決めのための基準となる部位が容易に認識可能であり、組付け作業がより容易に行なえるアンテナ装置およびこれを備えた電子機器を提供することを目的とする。
【課題を解決するための手段】
【００１４】
本発明に基づくアンテナ装置は、絶縁性の基板部および当該基板部上に設けられた環状または渦巻状のアンテナ素子を含むアンテナ基板と、上記アンテナ基板の上記アンテナ素子が設けられた主表面上に上記アンテナ素子を覆うように積層配置された磁性体シートとを備えている。上記アンテナ素子は、外部の回路との電気的な接続を行なうための接点ランドを含んでいる。上記接点ランドは、上記アンテナ基板を平面視した場合における上記アンテナ基板の角部に配置されている。上記磁性体シートは、上記アンテナ基板の上記接点ランドが設けられた角部を露出させる切り欠き部を有している。
【００１５】
上記本発明に基づくアンテナ装置にあっては、上記接点ランドに、その表面を覆うように金メッキ層が設けられていることが好ましい。
【００１６】
上記本発明に基づくアンテナ装置にあっては、上記磁性体シートが、上記アンテナ基板の上記接点ランドが設けられた角部とは異なる角部を露出させる切り欠き部をさらに有していることが好ましい。
【００１７】
本発明の第１の局面に基づく電子機器は、上記本発明に基づくアンテナ装置と、上記アンテナ装置が組付けられたフレームとを備えている。上記フレームは、上記アンテナ装置の組付けの際の位置決め基準となる位置決め部を含んでいる。上記位置決め部は、上記接点ランドが設けられた上記アンテナ基板の角部に対応した形状の入隅部を有している。ここで、上記アンテナ基板の上記接点ランドが設けられた角部は、上記入隅部に当接している。
【００１８】
本発明の第２の局面に基づく電子機器は、上記本発明に基づくアンテナ装置と、上記アンテナ装置が組付けられたフレームとを備えている。上記アンテナ装置は、上記磁性体シートが、上記アンテナ基板の上記接点ランドが設けられた角部とは異なる角部を露出させるきり欠き部をさらに有している。上記フレームは、上記アンテナ装置の組付けの際の位置決め基準となる一対の位置決め部を含んでいる。上記一対の位置決め部の一方は、上記アンテナ基板の上記接点ランドが設けられた方の角部に対応した形状の入隅部を有している。上記一対の位置決め部の他方は、上記アンテナ基板の上記接点ランドが設けられた角部とは異なる方の角部に対応した形状の入隅部を有している。ここで、上記アンテナ基板の上記接点ランドが設けられた方の角部は、上記一対の位置決め部の一方に設けられた入隅部に当接しており、上記アンテナ基板の上記接点ランドが設けられた角部とは異なる方の角部は、上記一対の位置決め部の他方に設けられた入隅部に当接している。
【発明の効果】
【００１９】
本発明によれば、位置決めのための基準となる部位が容易に認識可能であり、組付け作業がより容易に行なえるアンテナ装置およびこれを備えた電子機器とすることができる。その結果、製造コストの削減が可能になるとともに、安定した通信性能が実現できるアンテナ装置およびこれを備えた電子機器とすることができる。
【図面の簡単な説明】
【００２０】
【図１】本発明の実施の形態１におけるアンテナ装置の平面図である。
【図２】図１に示すアンテナ装置の断面図である。
【図３】本発明の実施の形態１における電子機器の一部の斜視図である。
【図４】図３に示す電子機器におけるアンテナ装置の組付構造を示す分解斜視図である。
【図５】本発明の実施の形態１に基づいた第１変形例に係るアンテナ装置の平面図である。
【図６】本発明の実施の形態１に基づいた第２変形例に係るアンテナ装置の平面図である。
【図７】本発明の実施の形態２におけるアンテナ装置の平面図である。
【図８】本発明の実施の形態２における電子機器の一部の斜視図である。
【図９】図８に示す電子機器におけるアンテナ装置の組付構造を示す分解斜視図である。
【発明を実施するための形態】
【００２１】
以下、本発明の実施の形態について、図を参照して詳細に説明する。なお、以下に示す実施の形態においては、同一のまたは共通する部分に図中同一の符号を付し、その説明は繰り返さない。
【００２２】
（実施の形態１）
図１は、本発明の実施の形態１におけるアンテナ装置の平面図であり、図２は、図１に示すアンテナ装置の図１中に示すＩＩ−ＩＩ線に沿った断面図である。まず、これら図１および図２を参照して、本実施の形態におけるアンテナ装置１Ａについて説明する。
【００２３】
図１および図２に示すように、本実施の形態におけるアンテナ装置１Ａは、アンテナ基板２と、磁性体シート７とを備えている。アンテナ基板２および磁性体シート７は、その厚み方向に沿って積層配置された構成を有しており、アンテナ基板２の主表面を磁性体シート７が覆っている。具体的には、磁性体シート７の裏面側に設けられた粘着層９がアンテナ基板２の主表面側に位置する絶縁層５に貼り付けられることにより、磁性体シート７がアンテナ基板２に固定されることでアンテナ装置１Ａが構成されている。
【００２４】
アンテナ基板２は、平面視矩形状の板状の形状を有しており、磁性体シート７は、アンテナ基板２の四隅のうちの１つの角部２ａに対応した位置に切り欠き部７ａを有する平面視略矩形状のシート状の形状を有している。なお、アンテナ基板２と磁性体シート７とは、アンテナ基板２の角部２ａおよびこれに対応して磁性体シート７に設けられた切り欠き部７ａを除く部分において、平面視略同一の形状および大きさを有している。
【００２５】
アンテナ基板２は、基板部３と、基板部３の表面上に形成されたアンテナ素子４と、アンテナ素子４を覆うように基板部３の表面上に形成された絶縁層５と、基板部３の裏面上に形成された粘着層６とを有している。
【００２６】
基板部３は、絶縁性の板状の部材からなり、ポリイミド基板等に代表されるフレキシブル基板にて構成されていてもよいし、ガラスエポキシ基板等に代表されるリジッド基板にて構成されていてもよい。すなわち、その表面上に後述する導電パターンが形成可能な絶縁基板であれば、どのようなものでも基板部３としての利用が可能である。
【００２７】
アンテナ素子４は、平面視環状または渦巻状に形成された導電パターンによって構成される。図示するように、本実施の形態においては、アンテナ素子４を構成する導電パターンが基板部３の表面上において基板部３の周縁に沿って配置されるように渦巻状に構成されており、その両端に接点ランド４ａを有している。
【００２８】
アンテナ素子４を構成する導電パターンのうちの接点ランド４ａを除く部分は、アンテナとして機能する部分であり、上述したように渦巻状に構成されることでループアンテナとして機能する。当該ループアンテナとしては、中央部に導電パターン等の導体が位置しない部分を有する形状であれば、図示する如くの矩形状の他にも、矩形状以外の多角形状、正円形状、楕円形状等、各種の形状に構成することができる。
【００２９】
ここで、アンテナ素子４の導体が位置しない部分の面積は、広範囲に磁界を発生させたり広範囲の磁界を受け取ったりすることで通信可能な範囲を広げる観点からより広いことが好ましいが、あまりにこれが広すぎる場合には、対向配置される外部アンテナ装置との相互インダクタンスが確保できなくなるため、好ましくは５００ｍｍ2以上３０００ｍｍ2以下とされる。
【００３０】
アンテナ素子４を構成する導電パターンのうちの接点ランド４ａは、協働することでＮＦＣシステムを構成する外部のアンテナ回路に上述したループアンテナとして機能する部分を電気的に接続するための端子となるものである。当該接点ランド４ａには、上記アンテナ回路に電気的に接続された接点ばねやポビゴンといった接続プローブが接触配置される。なお、上記接点ランド４ａは、いずれも上述したアンテナ基板２の角部２ａに配設されている。
【００３１】
アンテナ素子４は、たとえば銅、銀、金、ニッケル、アルミニウムおよびこれらの合金等に代表される良導体からなる導電パターンにて構成されることが好ましいが、導体からなる導電パターンであればどのようなもので構成されていてもよい。なお、アンテナ素子４の形成方法としては、印刷法やめっき法、蒸着法、スパッタ法等、様々な方法が適用できる。
【００３２】
絶縁層５は、たとえばレジスト膜やカバーレイフィルムにて構成され、アンテナ素子４を構成する導電パターンを保護するためのものである。絶縁層５の形成方法としては、塗布法や貼り合わせ法等が適用できる。なお、アンテナ素子４の接点ランド４ａに対応する部分の絶縁層５は除去されており、これにより接点ランド４ａは、アンテナ基板２の角部２ａにおいて露出している。
【００３３】
粘着層６は、アンテナ装置１Ａを電子機器の筺体やシャーシ等のフレームに対して貼り付け固定するためのものであり、公知の各種の粘着剤によって構成が可能である。
【００３４】
一方、磁性体シート７は、基材部８と、基材部８の裏面上に形成された粘着層９と、基材部８の表面上に形成された保護層１０とを含んでいる。ここで、上述したように磁性体シート７は、アンテナ基板２の角部２ａに対応する部分に当該角部２ａを露出させるための切り欠き部７ａを有しており、当該切り欠き部７ａは、基材部８、粘着層９および保護層１０のアンテナ基板２の角部２ａに対応する部分が切り欠かれることで構成されている。
【００３５】
基材部８は、板状、膜状あるいは層状等のシート状の形状に形成された部材からなり、好適には酸化鉄を主成分とするセラミックスであるフェライトにて構成される。フェライトには、軟磁性を示すソフトフェライトと呼ばれるものと、硬磁性を示すハードフェライトと呼ばれるものが存在するが、ＮＦＣシステムに利用するアンテナ装置用の磁性材料としては、ソフトフェライトを使用することが好ましい。
【００３６】
また、フェライトからなる基材部８としては、磁性粉とポリマー系樹脂とを練り込んで形成したフェライトシートを利用することとしてよいし、原料を乾式プレス成形した後にこれを焼結することによって形成した焼結体フェライトシートを利用することとしてもよい。
【００３７】
ここで、基材部８としてフェライトシートを利用する場合には、その厚みが、好適には０．０５ｍｍ以上３．０ｍｍ以下程度とされる。なお、基材部８としては、上記に限られず、フェライト以外の他の磁性体を原料として含むものを使用することも可能である。
【００３８】
粘着層９は、磁性体シート７をアンテナ基板２の上記主表面に対して貼り付け固定するためのものであり、公知の各種の粘着剤によって構成が可能である。
【００３９】
保護層１０は、フェライトからなる基材部８を保護するためのものであり、当該基材部８が破損してしまったり、当該基材部８が他の部位に接触して電気的に導通してしまったりすることを防止する。保護層１０の形成方法としては、塗布法や貼り合わせ法等が適用できる。
【００４０】
以上において説明した本実施の形態におけるアンテナ装置１Ａにあっては、アンテナ基板２の片面である主表面側においてのみアンテナ素子４が設けられた構成であるため、アンテナ基板の両面側にアンテナ素子を設ける場合に比べて製造コストの削減が図られている。
【００４１】
本実施の形態におけるアンテナ装置１Ａは、電子機器の筺体あるいはシャーシ等のフレームに対して位置決めされてアンテナ基板２の裏面側に設けられた粘着層６を用いて貼り付け固定される。当該貼り付け固定の際の位置合わせは、画像認識装置等を利用することで自動化されて行なわれるか、あるいは手作業によって行われる。なお、電子機器がたとえば携帯電話等の可搬式の小型端末である場合には、デザインの流行や技術の進歩によりその内部構成の変更が頻繁に生じるため、一機種当たりの生産期間がそれ程長くなく、これを考慮した場合には、手作業にて位置合わせが行なわれて貼り付け固定されることが効率的である。
【００４２】
本実施の形態におけるアンテナ装置１Ａにあっては、当該アンテナ装置１Ａを構成する各種の層のうちの、磁性体シート７を構成する基材部８、粘着層９および保護層１０が、アンテナ基板２の接点ランド４ａが設けられた角部２ａに対応する部分において同形状に切り欠かれており、これによりアンテナ基板２の接点ランド４ａが設けられた角部２ａが露出した状態とされている。
【００４３】
したがって、上記構成のアンテナ装置１Ａにあっては、当該角部２ａが他の部位（すなわち、磁性体シート７によって覆われた部位）に比較して大幅に異なる色調を有することになるため、当該角部２ａと他の部位との間のコントラストを高くすることができ、容易に当該角部２ａを認識することが可能になる。そのため、当該構成のアンテナ装置１Ａとすることにより、電子機器の筺体やシャーシ等のフレーム対する組付けの際に、周辺の部位とは異なる色調の当該角部２ａを組付けの際の位置決め基準として利用することができることになり、組付け作業がより容易に行えることになる。
【００４４】
ここで、本実施の形態におけるアンテナ装置１Ａの如く、平面視した場合における角部２ａを位置決め基準とした場合には、組付けの際の縦方向におけるずれ、横方向におけるずれおよび回転方向におけるずれのいずれをも同時に抑制することができることになるため、高い位置精度を確保する上で非常に有効となる。
【００４５】
なお、上述した組付け作業の容易化は、貼り付け固定の際の位置合わせを自動化させた場合および手作業で行った場合のいずれの場合においても実現できることになる。
【００４６】
また、アンテナ素子４の一部である接点ランド４ａを構成する部分の導電パターンは、好適にはその表面が金メッキ層にて覆われていることが好ましい。このように構成すれば、当該接点ランド４ａと、これに接触配置される接点ばねまたはポビゴンといった接続プローブとの間の接触抵抗が低く抑えられたり接続信頼性が高く維持されたりするのみならず、角部２ａの認識もより容易に行えるようになる。
【００４７】
図３は、本実施の形態における電子機器の一部の斜視図であり、図４は、図３に示す電子機器におけるアンテナ装置の組付構造を示す分解斜視図である。次に、これら図３および図４を参照して、本実施の形態における電子機器２０Ａおよび当該電子機器２０Ａにおけるアンテナ装置１Ａの組付構造について説明する。
【００４８】
図３に示すように、本実施の形態における電子機器２０Ａにあっては、フレームである筺体２１の内底面の所定位置に位置決め部２２が突出して設けられている。当該位置決め部２２は、当該内底面に対応する外底面に形成されたプラットフォームマークに対して予め位置決めされて設けられている。
【００４９】
位置決め部２２は、平面視Ｌ字状の形状を有しており、入隅部２２ａを有している。当該入隅部２２ａは、アンテナ装置１Ａの上述した角部２ａに対応した形状を有するように構成されている。
【００５０】
ここで、アンテナ装置１Ａは、上述した角部２ａが位置決め部２２の入隅部２２ａに当接した状態とされることで位置決めされて筺体２１の内底面上に貼り付け固定されている。より詳細には、アンテナ装置１Ａの角部２ａに対応する部分の一対の側面が、位置決め部２２の入隅部２２ａを構成する２つの面にそれぞれ当接した状態とされている。
【００５１】
当該組付け状態を実現するためには、図４に示すように、組付けに際して、筺体２１の内底面に対してアンテナ装置１Ａを貼り付け固定するに当たり、上述したアンテナ装置１Ａの角部２ａに対応する部分の一対の側面が上述した位置決め部２２の入隅部２２ａを構成する２つの面にそれぞれ当接するように位置合わせをしつつ、これを貼り付け固定することとすればよい。
【００５２】
ここで、本実施の形態における電子機器２０Ａにあっては、磁性体シート７の色調と筺体２１の色調とが比較的近いケースであっても、アンテナ装置１Ａの上述した角部２ａに対応した部分の磁性体シート７に切り欠き部７ａが設けられることで当該角部２ａがアンテナ装置１Ａの他の部分のみならず筺体２１とも大幅に異なる色調を有することになるため、当該角部２ａにおいてアンテナ装置１Ａと筺体２１との境界部分を容易に認識することが可能となる。したがって、筺体２１に対するアンテナ装置１Ａの組付け作業が容易に行えることになる。
【００５３】
なお、上述した組付け作業の容易化は、貼り付け固定の際の位置合わせを自動化させた場合および手作業で行った場合のいずれの場合においても実現できることになる。
【００５４】
このような組付構造を採用することにより、アンテナ装置１Ａは、位置決め部２２によって位置決めされて筺体２１に固定されることになるため、アンテナ装置１Ａに設けられたアンテナ素子４と筺体２１に設けられたプラットフォームマークとが高精度に位置決めされることになる。
【００５５】
また、当該アンテナ装置１Ａの筺体２１への組付け後においては、アンテナ装置１Ａに設けられたアンテナ素子４と上述したアンテナ回路とを接続するための接続作業が行われることになるが、当該接続作業の際にも、予め筺体２１に対してアンテナ装置１Ａが高精度に位置決めされて固定されているため、接触配置される接点ばねあるいはポビゴン等の接続プローブが、アンテナ装置１Ａの接点ランド４ａに対して高精度に位置決め可能になる。
【００５６】
また、本実施の形態における電子機器２０Ａにあっては、平面視した場合におけるアンテナ装置１Ａの角部２ａを位置決め基準とし、当該角部２ａに対応した形状の入隅部２２ａを有する位置決め部２２を用いてアンテナ装置１Ａの位置合わせを行なう構成であるため、組付けの際の縦方向におけるずれ、横方向におけるずれおよび回転方向におけるずれのいずれをも同時に抑制することができることになり、高い組付け位置精度を確保することが可能になる。
【００５７】
したがって、上述した本実施の形態におけるアンテナ装置１Ａおよびこれを備えた電子機器２０Ａとすることにより、位置決めのための基準となる部位が容易に認識可能となり、組付け作業がより容易に行なえることになる。その結果、製造コストの削減が可能になるとともに、安定した通信性能が実現できるアンテナ装置１Ａおよびこれを備えた電子機器２０Ａとすることができる。
【００５８】
図５は、本実施の形態に基づいた第１変形例に係るアンテナ装置の平面図である。次に、この図５を参照して、本実施の形態に基づいた第１変形例に係るアンテナ装置１Ｂについて説明する。
【００５９】
図５に示すように、本第１変形例に係るアンテナ装置１Ｂは、上述した本実施の形態におけるアンテナ装置１Ａと、平面視した場合におけるアンテナ基板２および磁性体シート７の形状において相違している。
【００６０】
具体的には、図５に示すように、本実施の形態におけるアンテナ装置１Ｂにあっては、平面視した場合におけるアンテナ基板２の一つの角部に切り欠き部２ｃが設けられることによってアンテナ基板２が略Ｌ字状の形状を有するように構成されており、当該アンテナ基板２に貼り付けられた磁性体シート７の対応する角部に切り欠き部７ｃが設けられることによって磁性体シート７も略Ｌ字状の形状を有するように構成されている。
【００６１】
ここで、本第１変形例に係るアンテナ装置１Ｂにおいても、平面視した場合におけるアンテナ基板２の出隅部に相当する角部のうちの１つの角部２ａにアンテナ素子４の接点ランド４ａが配置されており、当該角部２ａに対応する部分の磁性体シート７に接点ランド４ａを含む角部２ａを露出させる切り欠き部７ａが設けられている。
【００６２】
このように構成した場合にも、周辺の部位とは異なる色調の上記角部２ａを組付けの際の位置決め基準として利用することができることになり、上述した本実施の形態の場合と同様に、組付け作業がより容易に行えることになる。
【００６３】
図６は、本実施の形態に基づいた第２変形例に係るアンテナ装置の平面図である。次に、この図６を参照して、本実施の形態に基づいた第２変形例に係るアンテナ装置１Ｃについて説明する。
【００６４】
図６に示すように、本第２変形例に係るアンテナ装置１Ｃは、上述した本実施の形態におけるアンテナ装置１Ａと、平面視した場合におけるアンテナ基板２および磁性体シート７の形状において相違している。
【００６５】
具体的には、図６に示すように、本実施の形態におけるアンテナ装置１Ｃにあっては、平面視した場合におけるアンテナ基板２の中央部に開口部２ｄが設けられることによってアンテナ基板２が額縁状の形状を有するように構成されており、当該アンテナ基板２に貼り付けられた磁性体シート７の対応する部分にも開口部７ｄが設けられることによって磁性体シート７も額縁状の形状を有するように構成されている。
【００６６】
ここで、本第２変形例に係るアンテナ装置１Ｃにおいても、平面視した場合におけるアンテナ基板２の角部のうちの１つの角部２ａにアンテナ素子４の接点ランド４ａが配置されており、当該角部２ａに対応する部分の磁性体シート７に接点ランド４ａを含む角部２ａを露出させる切り欠き部７ａが設けられている。
【００６７】
このように構成した場合にも、周辺の部位とは異なる色調の上記角部２ａを組付けの際の位置決め基準として利用することができることになり、上述した本実施の形態の場合と同様に、組付け作業がより容易に行えることになる。
【００６８】
なお、上記構成を採用した場合には、当該アンテナ装置１Ｃが組み込まれた電子機器（たとえば携帯電話等）において、アンテナ装置１Ｃの中央部に設けられた中空部に、他の構成部品（たとえば、スピーカ装置、バイブレーション装置、カメラ装置、光源（ＬＥＤ）装置、赤外線通信装置等の全部あるいは一部を配置することが可能になる。そのため、当該電子機器の限られた筺体内部の空間において、アンテナ素子４を最大限大きくして配置することが可能になるとともに、当該電子機器の小型化も可能になることになる。
【００６９】
（実施の形態２）
図７は、本発明の実施の形態２におけるアンテナ装置の平面図である。まず、この図２を参照して、本実施の形態におけるアンテナ装置１Ｄについて説明する。
【００７０】
図７に示すように、本実施の形態におけるアンテナ装置１Ｄは、上述した本発明の実施の形態１におけるアンテナ装置１Ａと、アンテナ基板２に設けられたアンテナ素子４のレイアウトおよび磁性体シート７の形状において相違している。
【００７１】
具体的には、本実施の形態におけるアンテナ装置１Ｄにあっては、アンテナ基板２の接点ランド４ａが設けられた角部２ａとは異なる角部２ｂにおいて、アンテナ素子４を構成する導電パターンのコーナ部が内側に向けてやや大きく丸められた形状を有しており、当該形状に合わせて当該角部２ｂを覆う部分の磁性体シート７にも切り欠き部７ｂが設けられている。ここで、上記導電パターンのやや大きく丸められたコーナ部の曲率半径としては、通信性能に対する影響が軽減される観点から、好適には２．０ｍｍ〜４．０ｍｍ程度とされる。なお、導電パターンのコーナ部をやや大きく丸める以外にも、導電パターンのコーナ部を直線状にショートカットさせる構成としてもよい。
【００７２】
ここで、磁性体シート７に設けられた切り欠き部７ｂは、アンテナ基板２のアンテナ素子４が設けられた部分を露出させる大きさおよび形状のものではなく、アンテナ素子４が位置しない部分のアンテナ基板２の角部２ｂを最大限露出させる大きさおよび形状のものとする。このようにすれば、外部の金属物の影響を受けて通信特性の劣化や共振周波数の変化が生じることが抑制可能になる。
【００７３】
このように構成した場合には、アンテナ装置１Ｄの接点ランド４ａが設けられた角部２ａに加え、接点ランド４ａが設けられていない角部４ｂにおいても、当該角部２ｂが他の部位（すなわち、磁性体シート７によって覆われた部位）に比較して大幅に異なる色調を有することになる。したがって、アンテナ装置１Ｄの２つの角部２ａ，２ｂを容易に認識することが可能になる。そのため、当該構成のアンテナ装置１Ｄとすることにより、電子機器の筺体やシャーシ等のフレーム対する組付けの際に、周辺の部位とは異なる色調の当該２つの角部２ａ，２ｂを組付けの際の位置決め基準として利用することができることになり、組付け作業がより容易に行えることになる。
【００７４】
図８は、本実施の形態における電子機器の一部の斜視図であり、図９は、図８に示す電子機器におけるアンテナ装置の組付構造を示す分解斜視図である。次に、これら図８および図９を参照して、本実施の形態における電子機器２０Ｂおよび当該電子機器２０Ｂにおけるアンテナ装置１Ｄの組付構造について説明する。
【００７５】
図８に示すように、本実施の形態における電子機器２０Ｂにあっては、フレームである筺体２１の内底面の所定位置に、位置決め部２２に加え、さらに位置決め部２３が突出して設けられている。これら位置決め部２２，２３は、当該内底面に対応する外底面に形成されたプラットフォームマークに対して予め位置決めされて設けられている。
【００７６】
位置決め部２３は、位置決め部２２と同様に、平面視Ｌ字状の形状を有しており、入隅部２３ａを有している。当該入隅部２３ａは、アンテナ装置１Ｄの上述した角部２ｂに対応した形状を有するように構成されている。
【００７７】
ここで、アンテナ装置１Ｄは、上述した角部２ａが位置決め部２２の入隅部２２ａに当接した状態とされることで位置決めされるとともに、上述した角部２ｂが位置決め部２３の入隅部２３ａに当接した状態とされることで位置決めされて筺体２１の内底面上に貼り付け固定されている。より詳細には、アンテナ装置１Ｄの角部２ａに対応する部分の一対の側面が、位置決め部２２の入隅部２２ａを構成する２つの面にそれぞれ当接した状態とされ、アンテナ装置１Ｄの角部２ｂに対応する部分の一対の側面が、位置決め部２３の入隅部２３ａを構成する２つの面にそれぞれ当接した状態とされている。
【００７８】
当該組付け状態を実現するためには、図９に示すように、組付けに際して、筺体２１の内底面に対してアンテナ装置１Ｄを貼り付け固定するに当たり、上述したアンテナ装置１Ｄの角部２ａに対応する部分の一対の側面が上述した位置決め部２２の入隅部２２ａを構成する２つの面にそれぞれ当接するように位置合わせするとともに、上述したアンテナ装置１Ｄの角部２ｂに対応する部分の一対の側面が上述した位置決め部２３の入隅部２３ａを構成する２つの面にそれぞれ当接するように位置合わせをしつつ、これを貼り付け固定することとすればよい。
【００７９】
ここで、本実施の形態における電子機器２０Ａにあっては、磁性体シート７の色調と筺体２１の色調とが比較的近いケースであっても、アンテナ装置１Ｄの上述した２つの角部２ａ，２ｂに対応した部分の磁性体シート７に切り欠き部７ａ，７ｂがそれぞれ設けられることで当該２つの角部２ａ，２ｂがアンテナ装置１Ｄの他の部分のみならず筺体２１とも大幅に異なる色調を有することになるため、当該２つの角部２ａ，２ｂにおいてアンテナ装置１Ｄと筺体２１との境界部分を容易に認識することが可能となる。したがって、筺体２１に対するアンテナ装置１Ｄの組付け作業が容易に行えることになる。
【００８０】
したがって、このような組付構造を採用することにより、アンテナ装置１Ｄは、位置決め部２２，２３によって位置決めされて筺体２１に固定されることになるため、アンテナ装置１Ｄに設けられたアンテナ素子４と筺体２１に設けられたプラットフォームマークとが高精度に位置決めされることになる。
【００８１】
また、当該アンテナ装置１Ｄの筺体２１への組付け後においては、アンテナ装置１Ｄに設けられたアンテナ素子４と上述したアンテナ回路とを接続するための接続作業が行われることになるが、当該接続作業の際にも、予め筺体２１に対してアンテナ装置１Ｄが高精度に位置決めされて固定されているため、接触配置される接点ばねあるいはポビゴン等の接続プローブが、アンテナ装置１Ｄの接点ランド４ａに対して高精度に位置決め可能になる。
【００８２】
また、本実施の形態における電子機器２０Ｂにあっては、平面視した場合におけるアンテナ装置１Ａの２つの角部２ａ，２ｂを位置決め基準とし、当該２つの角部２ａ，２ｂに対応した形状の入隅部２２ａ，２３ａを有する位置決め部２２，２３を用いてアンテナ装置１Ｄの位置合わせを行なう構成であるため、組付けの際の縦方向におけるずれ、横方向におけるずれおよび回転方向におけるずれのいずれをも同時により確実に抑制することができることになり、さらに高い組付け位置精度を確保することが可能になる。
【００８３】
したがって、上述した本実施の形態におけるアンテナ装置１Ｄおよびこれを備えた電子機器２０Ｂとすることにより、上述した本発明の実施の形態１の場合と同様に、位置決めのための基準となる部位が容易に認識可能となり、組付け作業がより容易に行なえることになる。その結果、製造コストの削減が可能になるとともに、安定した通信性能が実現できるアンテナ装置１Ｄおよびこれを備えた電子機器２０Ｂとすることができる。
【００８４】
今回開示した上記各実施の形態およびその変形例はすべての点で例示であって、制限的なものではない。本発明の技術的範囲は特許請求の範囲によって画定され、また特許請求の範囲の記載と均等の意味および範囲内でのすべての変更を含むものである。
【符号の説明】
【００８５】
１Ａ〜１Ｄ  アンテナ装置、２  アンテナ基板、２ａ，２ｂ  角部、２ｃ  切り欠き部、２ｄ  開口部、３  基板部、４  アンテナ素子、４ａ  接点ランド、５  絶縁層、６  粘着層、７  磁性体シート、７ａ，７ｂ，７ｃ  切り欠き部、７ｄ  開口部、８  基材部、９  粘着層、１０  保護層、２０Ａ，２０Ｂ  電子機器、２１  筐体、２２，２３  位置決め部、２２ａ，２３ａ  入隅部。
【図１】
2013168907.tif 000003
【図２】
2013168907.tif 000004
【図３】
2013168907.tif 000005
【図４】
2013168907.tif 000006
【図５】
2013168907.tif 000007
【図６】
2013168907.tif 000008
【図７】
2013168907.tif 000009
【図８】
2013168907.tif 000010
【図９】
2013168907.tif 000011